(57)【要約】【課題】  硫化銅鉱物から湿式法で銅を回収する製錬工程において、金を含有する硫化銅鉱物から銅を浸出した浸出残渣中の金を濃縮して、効率的に分離回収する方法を提供する。【解決手段】  金を含有する硫化銅鉱物の浸出残渣を、篩上物と篩下物とに篩い分けし、得られた篩下物を浮遊選鉱して浮鉱と沈鉱とに分離する。上記篩い分けで得られた篩上物と上記浮遊選鉱で得た浮鉱とから硫黄を除去し、脱硫黄物を酸化焙焼した後、得られた酸化焙焼物を硫酸溶液で溶解して、銅溶解液から金含有残渣を分離回収する。【選択図】      なし【特許請求の範囲】
【請求項１】
金を含有する硫化銅鉱物の浸出残渣を下記の各工程にて順次処理することにより、濃縮された金を含有する金含有残渣を得ることを特徴とする硫化銅鉱物からの金の濃縮方法。
（１）上記浸出残渣を篩上物と篩下物とに篩い分けする分級工程
（２）上記分級工程で得られた篩下物を浮鉱と沈鉱とに分離する浮遊選鉱工程
（３）上記分級工程で得られた篩上物と上記浮遊選鉱工程で得た浮鉱から硫黄を除去する脱硫黄工程
（４）上記脱硫黄工程で得られた脱硫黄物を酸化焙焼する酸化焙焼工程
（５）上記焙焼工程で得られた酸化焙焼物を硫酸溶液で溶解し、得られた銅溶解液と金含有残渣とを分離する分離工程
【請求項２】
前記脱硫黄工程において、篩上物と浮鉱とを窒素ガス又はアルゴンガスを流した不活性雰囲気下にて２５０℃以上８００℃以下の温度で加熱することを特徴とする、請求項１に記載の硫化銅鉱物からの金の濃縮方法。
【請求項３】
前記酸化焙焼工程において、脱硫黄物を酸素又は空気を流した雰囲気下にて６００℃以上８００℃以下の温度で加熱することを特徴とする、請求項１又は２に記載の硫化銅鉱物からの金の濃縮方法。
【発明の詳細な説明】
【技術分野】
【０００１】
本発明は、硫化銅鉱物から湿式法で銅を回収する銅製錬工程において、金を含有する硫化銅鉱物から銅を浸出した浸出残渣中の金を濃縮して回収する方法に関する。
【背景技術】
【０００２】
銅製錬の原料である硫化銅鉱物は、黄銅鉱、班銅鉱、輝銅鉱等の含銅成分、黄鉄鉱などの含鉄成分、珪素やカルシウム等からなる脈石成分、及び金などの貴金属成分から構成されている。
【０００３】
通常の乾式銅製錬においては、上記硫化銅鉱物は選鉱されて銅鉱物の品位を高めた銅精鉱となり、銅精鉱は乾式製錬工程で炉に装入されて熔解され、鉄や硫黄がスラグやガスとして分離されて粗銅とされる。粗銅は電解工程でアノードとして電解精製され、金やその他の不純物と銅を分離し、銅はカソード上に電析して電気銅として回収される。
【０００４】
このような乾式の銅製錬工程は生産性が高いが、多額の設備投資を必要とし、発生したガスやスラグの処理に多くの手間とコストを要するうえ、操業調整が難しいなどの課題があった。そこで近年では、上記乾式製錬に比較してコンパクトな設備で操業でき、操業調整も容易な湿式製錬を用いた銅の製錬方法が開発されてきた。
【０００５】
例えば、特表２００４−５０４４９２号公報（特許文献１）には、銅含有物質を約１７０℃〜約２３５℃で加圧浸出して残渣と銅含有溶液を得る工程と、該銅含有溶液を希釈溶液で希釈して希釈銅含有溶液を形成する工程と、該希釈銅含有溶液から銅を溶媒抽出する工程とを備えた湿式の銅製錬方法が記載されている。しかし、銅含有物質に含まれる金は浸出残渣全体に分散するので、この方法で金を回収するには浸出残渣の全量を再度処理する必要があり、多大なコストを要してしまうという問題があった。
【０００６】
また、特表２００１−５１５１４５号公報（特許文献２）には、硫化物鉱石からの銅の湿式抽出方法として、酸素とハロゲン化物及び硫酸イオンを含む酸性溶液との存在下に鉱石又は精鉱を加圧酸化し、得られるスラリーを濾液と塩基性硫酸金属塩を含む固体残留物とに固液分離して、固体残留物を酸性硫酸塩溶液で浸出することが記載されている。浸出溶液は固体残留物から分離され、金属の濃縮溶液と金属の枯渇したラフィネートとを生成するように溶媒抽出される。しか、この方法で得られる浸出残渣は酸化鉄と硫黄との微細な粒子が混合した状態であるため、これを分離して金を回収することは困難であった。
【０００７】
上記のような銅の浸出残渣に含有される酸化鉄と硫黄を分離する方法として、特開２００２−０５３３１０号公報（特許文献３）に示す方法が知られている。この方法は、硫黄含有物、例えば、亜鉛精鉱浸出工程からの亜鉛精鉱浸出残査を浮選して得た硫黄が濃縮された浮鉱を、硫黄の融点以上沸点未満の温度に加熱し、生じた硫黄蒸気を含有する気体を硫黄の融点未満の温度で冷却することにより硫黄を凝縮させて回収する方法である。この方法を用いれば、亜鉛精鉱浸出残査から硫黄を効率よく回収することが可能となる。
【０００８】
また、特開２００５−０４２１５５号公報（特許文献４）には、銅鉱石又は銅鉱物から銅を浸出した残渣から貴金属を濃縮する方法が示されている。この方法では、上記浸出残渣を非酸化性雰囲気下に５５０℃以上の温度で加熱処理し、得られた焼鉱を酸性水溶液による再浸出処理に付し、硫黄と貴金属などを含む再浸出残渣と鉄浸出生成液とを形成する。しかしながら、銅鉱物や銅精鉱に含有される脈石成分が貴金属と同一の分布となる場合が多いため、脈石成分が多い銅鉱物や銅精鉱を処理する場合、この方法では貴金属と脈石成分の分離に多くの手間が必要になるという問題があった。
【先行技術文献】
【特許文献】
【０００９】
【特許文献１】特表２００４−５０４４９２号公報
【特許文献２】特表２００１−５１５１４５号公報
【特許文献３】特開２００２−０５３３１０号公報
【特許文献４】特開２００５−０４２１５５号公報
【発明の概要】
【発明が解決しようとする課題】
【００１０】
上述したように、硫化銅鉱物から湿式法で銅を回収する製錬工程においては、硫化銅鉱物から銅を浸出した残渣には金が含まれているが、この浸出残渣中の金を濃縮することが極めて難しいため、浸出残渣から金を効率的に回収することはできなかった。
【００１１】
本発明は、このような従来の事情に鑑み、硫化銅鉱石を硫酸で浸出した残渣に含有されている金を濃縮して分離し、効率的に回収する方法を提供することを目的とするものである。
【課題を解決するための手段】
【００１２】
上記課題を解決するため、本発明者らは、銅精鉱など硫化銅鉱物を硫酸で浸出して得た残渣を観察した結果、鉱物中に含有されていた金は浸出残渣中で疎水度の類似した硫黄の内部に含有されたり、あるいは未反応で残留した硫化物に付随したりして存在し、それ以外の酸化鉄や脈石成分等の中には存在しないことを見出した。金が硫黄の内部に含有されるのは、硫黄の融点は１００〜１１５℃と低いので、浸出により鉱物から分離した硫黄が溶融状態となり、その後冷却して凝集し、金を核として包含するためと考えられる。
【００１３】
そこで、浸出残渣から粒状となった硫黄及び浸出されずに残留した硫化物の粒子を篩によって粗分離した後、篩下の粒子中から硫黄や硫化物をその他の酸化鉄や脈石成分との疎水性の違いを利用して浮上させる一方、酸化鉄や脈石成分などを沈鉱させることにより、浸出残渣中に含まれる金を濃縮できることを見出した。また、濃縮された金を含む成分は、硫黄を除去してから酸化焙焼して鉄成分を酸化鉄とし、その後硫酸を用いて溶解することによって、金が濃縮された残渣を回収する方法を採用した。
【００１４】
即ち、本発明が提供する硫化銅鉱物からの金の濃縮方法は、金を含有する硫化銅鉱物の浸出残渣を下記の各工程にて順次処理することにより、濃縮された金を含有する金含有残渣を得ることを特徴とする。
（１）上記浸出残渣を篩上物と篩下物とに篩い分けする分級工程
（２）上記分級工程で得られた篩下物を浮鉱と沈鉱とに分離する浮遊選鉱工程
（３）上記分級工程で得られた篩上物と上記浮遊選鉱工程で得た浮鉱から硫黄を除去する脱硫黄工程
（４）上記脱硫黄工程で得られた脱硫黄物を酸化焙焼する酸化焙焼工程
（５）上記焙焼工程で得られた酸化焙焼物を硫酸溶液で溶解し、得られた銅溶解液と金含有残渣とを分離する分離工程
【００１５】
上記本発明の硫化銅鉱物からの金の濃縮方法においては、前記脱硫黄工程において、篩上物と浮鉱とを窒素ガス又はアルゴンガスを流した不活性雰囲気下にて２５０℃以上８００℃以下の温度で加熱することが好ましい。また、前記酸化焙焼工程においては、脱硫黄物を酸素又は空気を流した雰囲気下にて６００℃以上８００℃以下の温度で加熱することが好ましい。
【発明の効果】
【００１６】
本発明によれば、湿式の銅製錬工程において、金を含む硫化銅鉱物の浸出残渣から金を濃縮して効率よく分離回収することができる。また、金を濃縮して回収できるので、後工程で取り扱う物量が減少し、ハンドリングの手間を削減でき、生産設備の規模も小さくて済む。更に、金を濃縮した金含有残渣物から金を回収する際には、浸出が進みやすいので、シアン、チオ尿素、チオ硫酸塩等の抽出に用いる試薬量が少なくて済み、コストの低減が可能である。
【発明を実施するための形態】
【００１７】
本発明は、硫化銅鉱物を硫酸等の鉱酸の酸性溶液で浸出した浸出残渣から、金の濃縮物を得る方法である。尚、硫化銅鉱物を湿式法で製錬する方法には、硫酸等の鉱酸を用いる方法の他に、硫化銅鉱物を塩化物や塩素ガスで浸出する方法もあるが、浸出残渣中の金の存在形態は同じであるから、本発明はいずれの方法で得た浸出残渣にも適用することができる。
【００１８】
上記浸出残渣は、まず分級工程において、篩上物と篩下物とに篩い分けする。この篩い分けに用いる篩の目開きは、次の浮遊選鉱工程で疎水性の成分が確実に浮上する粒度であれば良く、例えば３００ミクロン前後を用いることができる。尚、浸出残渣の粒度が粗大であるため、上記分級工程において大部分が篩上物となる場合には、浸出残渣を適宜粉砕してから篩い分けに供しても構わない。
【００１９】
この分級工程で得られた篩上物は大部分が硫黄又は硫化物であり、篩下物の多くは酸化鉄や脈石成分あるいは未反応の硫化銅鉱物などである。金の多くは硫黄又は硫化物に付随する形で篩上物中に含まれるため、篩上物は後の脱硫工程に供給する。一方、篩下物は、その中に残っている金を更に分離回収するため、次の浮遊選鉱工程に供給する。
【００２０】
浮遊選鉱工程では、上記分級工程から供給された篩下物を、公知の浮遊選鉱法に従って浮鉱と沈鉱とに分離する。例えば、篩下物を水溶液に投入し、起泡剤や捕集剤などの浮遊選鉱試薬を加え、機械的又は化学的に空気などの気泡を発生させる。この浮遊選鉱により、金が付随しやすい硫黄や硫化物の粒子は気泡に吸着して浮鉱として浮上するが、その他の酸化鉄や脈石成分は沈鉱となる。
【００２１】
次の脱硫黄工程では、上記分級工程で得られた篩上物と上記浮遊選鉱工程で得た浮鉱とを混合したうえで、含有されている硫黄を除去する。具体的な方法としては、浮鉱と篩上物を窒素ガスやアルゴンガスなどの不活性ガスを流した炉内に入れ、加熱して硫黄を揮発させることにより、揮発しない金と分離する。尚、不活性雰囲気とする代わりに、炉内を減圧しても硫黄を揮発させることができる。しかし、炉内にガスの流れがあれば、揮発した硫黄をガスの流れを利用して移動分離させやすいので、不活性ガスの流れを用いる方法が好ましい。
【００２２】
また、硫黄を揮発させるための加熱温度は、２５０℃から８００℃の範囲が好ましく、３００℃から４００℃の範囲が更に好ましい。硫黄を揮発させるには２５０℃以上の温度が必要であり、２５０℃よりも低いと浸出残渣からの揮発が不充分となるため、硫黄が溶融状態で残留したり、揮発した硫黄が炉内で凝集して閉塞を生じたりする。加熱温度が３００℃以上になると、硫黄の揮発が促進されて短時間に処理が進むため更に好ましい。
【００２３】
しかし、加熱温度を４００℃より高くしても、硫黄の揮発速度はほとんど増加せず、必要なエネルギーが著しく増加するだけであるため好ましくない。更に加熱温度が８００℃を超えると、硫化物の分解が進み、浸出残渣が焼結されたように固結し始めるなど取り扱い上の問題が発生する。残渣が固結すると、後工程でのハンドリングに影響するので好ましくない。尚、揮発した硫黄は、２５０℃よりも低い温度領域で析出するので、容易に回収することができる。
【００２４】
上記脱硫黄工程で得られた脱硫黄物は、次の酸化焙焼工程において、酸素や空気の存在する雰囲気下で焙焼する。この酸化焙焼によって、脱硫黄物中に含有される黄銅鉱や黄鉄鉱などの硫化物が、易溶性の酸化銅及び難溶性の酸化鉄であるヘマタイトに酸化される。脱硫黄物の焙焼は８００℃以下の温度で行うことができるが、実際には６００℃以上８００℃以下の温度範囲が好ましい。
【００２５】
酸化焙焼時の加熱温度が６００℃未満では、酸化反応の進行が遅く且つ不十分であるうえ、浸出残渣中の鉄が易溶性の硫酸鉄を生成し、難溶性のヘマタイトを形成しない。尚、硫酸鉄の生成は金の分離に直接影響しないが、次の分離工程において硫酸鉄も酸化銅と共に酸で溶解されてしまい、溶解液から更に銅と鉄を分離する処理を追加する必要が生じるため、硫酸鉄を生成しないように６００℃以上の温度で焙焼することが好ましい。
【００２６】
一方、８００℃を越える温度で脱硫黄物を酸化焙焼すると、浸出残渣中に残留して脱硫黄物中に残った銅が酸に溶け難い亜酸化銅を生成し、次工程の分離工程で硫酸に完全に溶解されずに残留するため、金の濃縮が困難になる。また、上述したように８００℃を越える温度では浸出残渣同士が焼結されたように固結し始めるが、銅の酸化焙焼物が存在すると更に固結しやすくなるなど取り扱い難くなるため好ましくない。
【００２７】
このような事情を総合的に考慮すると、脱硫黄物の酸化焙焼するための加熱温度としては、銅が酸に溶けやすい酸化銅を生成すると同時に、硫酸鉄が確実に分解し且つ安定で酸に溶け難いヘマタイトが得られる６３０℃から８００℃の温度範囲が好ましく、６８０℃から７００℃の間の温度が最も適している。
【００２８】
上記酸化焙焼工程で得た酸化焙焼物は、次の分離工程で硫酸溶液と混合され、銅を選択的に浸出し溶解する。一方、硫酸に浸出されない金は、ヘマタイトと共に残留するので、金が濃縮された金含有残渣として分離することができる。この分離工程で得られる金含有残渣は、金以外の成分としてはヘマタイトなど化学的に安定な鉄の酸化焙焼物が大部分である。従って、この金含有残渣を別工程に搬送し、従来から知られているシアンやチオ尿素などを用いる化学的な方法で金を浸出することによって、金を精製することができる。
【００２９】
上記分離工程で用いる硫酸溶液の硫酸濃度は、２００ｇ／ｌから５００ｇ／ｌの範囲が好ましい。２００g／ｌ未満の硫酸濃度では銅を溶解する能力が不足し、逆に５００ｇ／ｌを超える濃度では銅の溶解度が著しく低下して必要な硫酸溶液量が増加するため好ましくない。また、銅浸出時のスラリー濃度は、１００ｇ／ｌから３００ｇ／ｌの範囲とすることが好ましい。１００ｇ／ｌ未満では液量が増加し、３００ｇ／ｌを超えると反応性が劣ったり撹拌に要する動力が増加したりするため好ましくない。
【００３０】
尚、上記分離工程において金含有残渣から分離された硫酸銅溶液は、通常の電解採取に供給し、銅を電気銅として回収することができる。また、電解採取によって再生した硫酸は、上述した硫化銅鉱物の浸出に繰り返し、あるいは上記分離工程での銅の溶解に利用することができる。
【実施例】
【００３１】
［実施例１］
金品位が１２ｇ／ｔである銅精鉱を硫酸溶液と混合し、スラリー濃度が２００ｇ／ｌとなるように調整した。このスラリーの初期硫酸濃度は９０ｇ／ｌであった。このスラリー１リットルを石英容器に入れ、内容量３リットルの撹拌機付オートクレーブに装入し、オートクレーブ内に酸素を充填して圧力を２.０ＭＰａまで昇圧させた後、毎分２００回転で撹拌しながら温度１６０℃まで昇温して１時間維持した。その後室温まで冷却し、スラリーを濾過することにより浸出残渣と浸出液に分離した。
【００３２】
得られた浸出残渣を純水で洗浄し、真空乾燥器を用いて１０５℃で２４時間かけて乾燥した後、目開３００μｍの篩を用いて篩い分けした。篩下物の多くは未反応硫化銅鉱や酸化鉄や脈石成分であり、篩上物の多くは単体硫黄でできた粗粒物であった。篩上物と篩下物の物量は、およそ４０：１００の割合となった。
【００３３】
次に、回収した篩下物１００ｇに水４００ｍｌを加え、３分間撹拌してスラリー化した。このスラリーをセル容量０.５リットルのアジテア型浮遊選鉱試験機に装入し、起泡剤としてメチルイソブチルカルビノール（ＭＩＢＣ）を篩下物１ｋｇあたり７５ｍgの割合で添加した。次に、捕収剤として米国Ｃｙｔｅｃ  Ｉｎｄｕｓｔｒｉｅｓ社製のＡＥＲＯ３５０ザンセート（商品名）を、篩下物１ｋｇあたり６０ｍgの割合で添加した。
【００３４】
その後、１０分間撹拌した後、撹拌を継続しながら空気を２リットル／分の流量で吹き込みながら８分間浮遊選鉱し、浮鉱と沈鉱とに分離した。尚、本実施例では、１回の浮遊選鉱で浮鉱と沈鉱とに分離できたが、浸出残渣の性状によっては浮選を繰り返し行っても良く、その場合の浮遊選鉱の回数は適宜予備試験を実施して決定することができる。
【００３５】
上記の浮遊選鉱により、浮鉱１６ｇと沈鉱８４ｇを得た。得られた浮鉱を化学分析、顕微鏡観察並びにＸ線回折を用いて同定すると、主に未反応の硫化鉱物の成分と単体硫黄とからなり、金品位は１５ｇ／ｔであった。また、沈鉱を同様に同定すると、大部分が酸化鉄や脈石成分であり、金は２ｇ／ｔとほとんど含有されていなかった。従って、上記篩上物及び浮鉱に含有される金は、両者の合計で平均１４０ｇ／ｔにまで濃縮されたことになる。
【００３６】
次に、上記した篩上物３９と浮鉱１６を真空乾燥器に入れて乾燥した後、均一に混合した混合物を透明石英管を用いた管状炉内に装入した。炉内に窒素ガスを１リットル／分の流量で流しながら３５０℃まで昇温し、炉外から目視で観察しながら４時間かけて単体硫黄を揮発させて除去することにより、脱硫黄物２９ｇを得た。
【００３７】
得られた脱硫黄物をＸ線回折で同定し、単体硫黄が全て揮発除去していることを確認した。また、脱硫黄物の金品位は２８０ｇ／ｔにまで濃縮されていた。その後、脱硫黄物を再度管状炉に装入し、今度は１リットル／分の流量で空気を流しながら６８０〜７００℃の温度範囲に１時間保持して焙焼することにより、脱硫黄物中の硫化物を酸化焙焼物に転換して酸化焙焼物とした。酸化焙焼物中の金品位は４７０ｇ／ｔにまで濃縮された。
【００３８】
このようにして得られた酸化焙焼物２５ｇに、濃度３００ｇ／ｌの硫酸溶液２５０ｍｌを加えてスラリー化した。このスラリーを入れたビーカーをウォーターバス中で加熱し、スラリー温度を８０℃に維持して１時間撹拌した後、濾過して固液分離した。濾液を分離した残渣を乾燥器に入れ、１０５℃の温度で１２時間かけて乾燥し、金含有残渣１５ｇを得た。この金含有残渣の金品位は７００ｇ／ｔまで濃縮されていた。
【００３９】
この実施例において、上記した銅精鉱、篩上物、浮鉱、沈鉱、脱硫黄物、酸化焙焼物、及び金含有残渣について、それぞれを王水で溶解し、ＩＣＰで分析して得られた分析値を下記表１に示す。尚、表中のＣｕ、Ｆｅ、Ｓの単位は重量％、Ａｕの単位はｇ／ｔである。
【００４０】
【表１】
2010180450.tif 000002
【００４１】
［実施例２］
上記実施例１と同じ銅精鉱の浸出残渣を使用し、脱硫黄工程での加熱温度を２３０℃、２７０℃、４３０℃、５９０℃、７５０℃、及び８３０℃の各温度に設定した以外は上記実施例１と同様にして、それぞれ金含有残渣を分離回収した。
【００４２】
その結果、２７０℃で脱硫黄した場合には、上記実施例１での脱硫黄物と同じ硫黄品位を得ることができ、Ｘ線回折の結果からも単体硫黄は存在しなかったが、硫黄が除去される速度は遅く、上記実施例１と同じ４時間では硫黄を除去しきれず、脱硫黄に６時間以上を要した。また、４３０℃、５９０℃及び７５０℃で脱硫黄した場合は、上記実施例１での脱硫黄物と同じ硫黄品位となり、単体硫黄を全て除去できると共に、硫黄の除去に要する時間も上記実施例１とほとんど同じであった。
【００４３】
しかし、２３０℃で脱硫黄を行った場合には、揮発した硫黄が浸出残渣の表面を覆い、浸出残渣中に硫黄粒として残留する結果、脱硫黄物の金品位が上記実施例１よりも低下した。また、８３０℃で脱硫黄を行った場合には、浸出残渣が焼結されたように固結してしまい、以降のハンドリングが不便となり、分離工程での硫酸溶液による溶解も進まなかった。
【００４４】
［実施例３］
上記実施例１と同じ銅精鉱の浸出残渣を使用し、酸化焙焼工程での加熱温度を５８０℃、６２０℃、７８０℃及び８３０℃の各温度に設定して行った以外は上記実施例１と同様にして、それぞれ金含有残渣を分離回収した。
【００４５】
その結果、加熱温度が６２０℃及び７８０℃の場合、いずれも得た酸化焙焼物の品位は上記実施例１と同じであり、Ｘ線回折の結果からも銅は酸化銅に及び鉄はヘマタイトとなって存在することが確かめられた。
【００４６】
一方、５８０℃で酸化焙焼を行った場合は、Ｘ線回折の結果から銅は酸化銅になっていたが、鉄は易溶性の硫酸鉄となったことが確かめられた。また、８３０℃で酸化焙焼した場合には、銅は亜酸化銅の形態となり、得られた酸化焙焼物は固結したように固まって溶解できなくなるなど、取り扱いが難くなった。